(57)【要約】【課題】車載機が携帯電話機からブルートゥース通信により音楽データを受信して再生している際に携帯電話機において着信が行われた場合でも音楽再生が妨げられないようにした「音楽再生制御装置および音楽再生制御方法」を提供する。【解決手段】無線通信部１１を介して複数の携帯電話機１Ａ〜１Ｃが無線で車載機２と接続された状態において、一の携帯電話機１において着信が行われた場合、着信携帯電話機１を音楽データの取得対象先から外してハンズフリー通話の制御対象とする一方、他の携帯電話機１から音楽データを受信して音楽再生部１４による音楽再生を行うようにすることにより、着信携帯電話機１を通じてハンズフリー通話が行われる状態になったとしても、他の携帯電話機１との間における無線接続により当該他の携帯電話機１から音楽データを受信して再生することができるようにする。【選択図】図１
2011009809.tif 000002
【特許請求の範囲】
【請求項１】
１以上の携帯端末と無線で接続してデータの送受信を行う無線通信部と、
上記無線通信部により上記携帯端末から受信した音楽データを再生する音楽再生部と、
上記無線通信部により上記携帯端末から受信した着信通知データに基づいて上記携帯端末における着信を検出する着信検出部と、
上記着信検出部により着信が検出された一の携帯端末をハンズフリー通話の制御対象とするために上記音楽データの取得対象先から外し、他の携帯端末から上記音楽データを受信して上記音楽再生部による再生を行うように制御する制御部とを備えたことを特徴とする音楽再生制御装置。
【請求項２】
上記制御部は、上記着信検出部により着信が検出された上記一の携帯端末から上記音楽データを受信中である場合、上記一の携帯端末からの上記音楽データの受信を中止し、上記他の携帯端末から上記音楽データを受信して上記音楽再生部による再生を行うように切り替えることを特徴とする請求項１に記載の音楽再生制御装置。
【請求項３】
上記無線通信部を介して無線で接続されている複数の携帯端末を識別する端末識別情報と上記複数の携帯端末に記憶されている音楽データを識別する音楽識別情報との対応関係および上記複数の携帯端末に記憶されている音楽データの再生順を表した再生順リスト情報を記憶するリスト記憶部を備え、
上記音楽再生部は、上記リスト記憶部に記憶されている再生順に従って上記複数の携帯端末から順に上記無線通信部により受信した上記音楽データを順に再生するように成され、
上記制御部は、上記着信検出部により上記一の携帯端末における着信が検出されたとき、上記リスト記憶部に記憶された上記再生順リスト情報により示されている再生順を、上記一の携帯端末をスキップした再生順となるように変更することを特徴とする請求項１に記載の音楽再生制御装置。
【請求項４】
無線通信部を介して１以上の携帯端末と無線で接続し、上記携帯端末から受信した音楽データを音楽再生部にて再生する機能を備えた車載機における音楽再生制御方法であって、
上記無線通信部により上記携帯端末から受信した着信通知データに基づいて一の携帯端末における着信を検出する第１のステップと、
上記第１のステップで着信が検出された場合、上記一の携帯端末をハンズフリー通話の制御対象とするために上記音楽データの取得対象先から外し、他の携帯端末から上記音楽データを受信して上記音楽再生部による再生を行うように制御する第２のステップとを有することを特徴とする音楽再生制御方法。
【発明の詳細な説明】
【技術分野】
【０００１】
本発明は、音楽再生制御装置および音楽再生制御方法に関し、特に、音楽再生機能を有する携帯端末とブルートゥース接続して音楽再生の制御を行う装置に用いて好適なものである。
【背景技術】
【０００２】
近年の携帯電話機には、通話機能以外にも様々な機能が搭載されている。例えば、音楽データを蓄積しそれを再生する音楽再生機能を有する携帯電話機が知られている。また、近距離無線通信規格の１つであるブルートゥースにより外部機器との間でデータを無線で通信するブルートゥース通信機能を有する携帯電話機も提供されている。これらの音楽再生機能およびブルートゥース通信機能の両方を備えた携帯電話機もある。
【０００３】
音楽再生機能およびブルートゥース通信機能を備えた携帯電話機と、同じく音楽再生機能およびブルートゥース通信機能を備えた外部機器とをブルートゥース接続することにより、携帯電話機から外部機器に対して音楽データを送信し、外部機器において音楽再生を行うシステムも提供されている。例えば、外部機器が車載機である場合、車載機は、携帯電話機からブルートゥース通信により音楽データを受信して再生することが可能である。
【０００４】
一方、車載機には、音楽再生機能およびブルートゥース通信機能の他に、ハンズフリー通話機能（ハンズフリーユニット）が備えられていることがある。ブルートゥース通信機能およびハンズフリー通話機能の両方を備えた車載機の場合、携帯電話機とハンズフリーユニットとの間はブルートゥースにより無線で接続される。携帯電話機とハンズフリーユニットとがブルートゥース接続された状態で携帯電話機において着信または発信が行われると、車載機のハンズフリーユニットを介してハンズフリー通話（ＨＦＴ：Hands Free Telephone）を行うことが可能となる。
【０００５】
ところで、ブルートゥース通信機能を備えた従来の電子機器は、複数のプロファイル（機能）を同時には動作させることができなかった。そのため、ブルートゥース通信により音楽データを送受信することと、ブルートゥース通信によりハンズフリー通話を行うこととを同時に行うことはできなかった。そこで、車載機が携帯電話機からブルートゥース通信により音楽データを受信して再生している際に、携帯電話機において着信または発信が行われた場合、音楽再生を一時停止してハンズフリー通話を行い、その通話終了後に音楽再生を自動的に再開させるようにした技術が提案されている（例えば、特許文献１参照）。
【０００６】
しかしながら、特許文献１に記載の従来技術では、音楽再生をしている際に携帯電話機において着信または発信が行われると、音楽再生が停止してしまうという問題があった。発信についてはユーザの意思で行われるので、音楽再生が停止してもユーザの意に反するということは殆どない。しかし、着信についてはユーザの意思とは無関係に行われる。よって、ブルートゥース通信により音楽再生をしている際に携帯電話機において着信があった場合は、ユーザの意に反して音楽再生が突然停止してしまうという問題がある。
【０００７】
なお、複数のポータブルデバイスが車載機に接続された状態において、音楽再生中のポータブルデバイスが車載機から取り外されたときに、リストを参照し、他のポータブルデバイスが所有する同一の楽曲を引き続き再生するようにした技術が存在する（例えば、特許文献２参照）。ただし、この技術は、ブルートゥース通信機能やハンズフリー通話機能とは全く無関係のものである。
【先行技術文献】
【特許文献】
【０００８】
【特許文献１】特開２００８−９２２１０号公報
【特許文献２】特開２００７−２２６８６７号公報
【発明の概要】
【発明が解決しようとする課題】
【０００９】
本発明は、上述のような問題を解決するために成されたものであり、携帯電話機のような携帯端末からブルートゥース通信により音楽データを受信して再生している際に携帯端末において着信が行われた場合でも、ハンズフリー通話によって音楽再生が妨げられないようにすることを目的とする。
【課題を解決するための手段】
【００１０】
上記した課題を解決するために、本発明では、無線通信部を介して複数の携帯端末が無線で接続された状態において、一の携帯端末において着信が行われた場合、当該一の携帯端末を音楽データの取得対象先から外してハンズフリー通話の制御対象とする一方、他の携帯端末から音楽データを受信して音楽再生部による音楽再生を行うようにする。
【発明の効果】
【００１１】
上記のように構成した本発明によれば、着信が検出された一の携帯端末を通じて無線接続によるハンズフリー通話が行われる状態になったとしても、他の携帯端末との間における無線接続により当該他の携帯端末から音楽データを受信して再生することが可能となる。これにより、携帯端末から無線接続により音楽データを受信して再生している際に携帯端末において着信が行われた場合でも、ハンズフリー通話によって音楽再生が妨げられないようにすることができる。
【図面の簡単な説明】
【００１２】
【図１】本実施形態による音楽再生制御装置を備えた無線通信システムの構成例を示す図である。
【図２】本実施形態による車載機が備える音楽再生制御装置の機能構成例を示すブロック図である。
【図３】本実施形態のリスト記憶部に記憶される再生順リスト情報の例を示す図である。
【図４】本実施形態による音楽再生制御装置の動作例を示す図である。
【図５】本実施形態による音楽再生制御装置の他の動作例を示す図である。
【図６】本実施形態による音楽再生制御装置の詳細な動作例を示すフローチャートである。
【発明を実施するための形態】
【００１３】
以下、本発明の一実施形態を図面に基づいて説明する。図１は、本実施形態による音楽再生制御装置を備えた無線通信システムの構成例を示す図である。図２は、本実施形態による車載機が備える音楽再生制御装置の機能構成例を示すブロック図である。まず、図１および図２を用いて、本実施形態による音楽再生制御装置の構成について説明する。
【００１４】
図１に示すように、本実施形態の無線通信システムは、１以上の携帯電話機（本発明の携帯端末に相当）１と、音楽再生制御装置を備えた車載機２とにより構成されている。携帯電話機１は、ブルートゥース通信機能と音楽再生機能とを備えている。車載機２は、ブルートゥース通信機能と音楽再生機能とハンズフリー通話機能とを備えている。
【００１５】
ブルートゥースは、その通信機能を搭載した機器の通信ネットワークへの接続が自動的に行われるタイプの無線通信システムである。そのため、ブルートゥース通信機能を搭載した携帯電話機１の識別情報を車載機２に一度登録しておくと、その後は、携帯電話機１が車載機２に近づくだけで相互に無線接続され、通信可能な状態となる。なお、本実施形態において携帯電話機１は、車載機２に識別情報が既に登録されているものとする。
【００１６】
携帯電話機１は、内蔵した記録媒体に複数の音楽データを記憶しており、ブルートゥース通信機能を用いて車載機２に対して音楽データを無線で送信できるようになっている。本実施形態では、一例として３台の携帯電話機１Ａ，１Ｂ，１Ｃが車載機２とブルートゥース接続されており、各携帯電話機１Ａ，１Ｂ，１Ｃにそれぞれ複数の音楽データが記憶されているものとする。各携帯電話機１Ａ，１Ｂ，１Ｃは、車載機２からの要求に応じて音楽データを送信する。
【００１７】
図２に示すように、車載機２が備える本実施形態の音楽再生制御装置は、その機能構成として、無線通信部１１、リスト登録部１２、リスト記憶部１３、音楽再生部１４、音声出力部１５、着信検出部１６、ハンズフリー通話部１７、音声入力部１８および制御部１９を備えている。
【００１８】
無線通信部１１は、１以上の携帯電話機１（本実施形態の場合は３台の携帯電話機１Ａ，１Ｂ，１Ｃ）と無線で接続してデータの送受信を行う。リスト登録部１２は、無線通信部１１を介してブルートゥース接続されている複数の携帯電話機１に記憶されている音楽データの再生順をリストに登録する。例えば、リスト登録部１２は、第１の携帯電話機１Ａに記憶されている音楽データと、第２の携帯電話機１Ｂに記憶されている音楽データと、第３の携帯電話機１Ｃに記憶されている音楽データとを順不同に切り替えながら再生する（以下、シャッフル再生という）ための再生順をリストに登録する。
【００１９】
具体的には、リスト登録部１２は、図３に示すような再生順リスト情報をリスト記憶部１３に記憶する。リスト記憶部１３に記憶される再生順リスト情報は、無線通信部１１を介してブルートゥース接続されている複数の携帯電話機１を識別する端末識別情報（端末ＩＤ）と複数の携帯電話機１に記憶されている音楽データを識別する音楽識別情報（音楽ＩＤ）との対応関係、および複数の携帯電話機１に記憶されている音楽データの再生順を表した情報である。
【００２０】
図３に示す例では、リストの最上位レコードから順番に再生順を表す番号が昇順に記憶されており、各レコードには端末ＩＤと音楽ＩＤとが関連付けて記憶されている。これにより、どの携帯電話機１に記憶されているどの音楽データが何番目に再生されるのかが示されている。どのような再生順として登録するかは、リスト登録部１２が任意に決定する。
【００２１】
リスト記憶部１３に記憶すべき端末ＩＤおよび音楽ＩＤは、複数の携帯電話機１から無線通信部１１を介して取得する。例えば、携帯電話機１の操作部（図示せず）をユーザが操作して所望の音楽データを選択し、それを再生対象の音楽データとして登録する旨の指示をすると、選択された音楽データを示す音楽ＩＤが端末ＩＤと共に車載機２に送信される。そして、車載機２の無線通信部１１がこの端末ＩＤと音楽ＩＤを受信してリスト登録部１２に供給する。
【００２２】
なお、ここでは再生対象とする音楽データを携帯電話機１のユーザが操作部の操作によって選択する例について説明したが、これに限らない。例えば、携帯電話機１が車載機２に近づいてブルートゥース接続されたときに、車載機２から携帯電話機１に対してＩＤの取得要求を送信する。そして、この取得要求を受信した携帯電話機１が、内蔵の記録媒体に記憶されている音楽データの音楽ＩＤを端末ＩＤと共に自動的に返信するようにしても良い。ここで返信する音楽ＩＤは、記録媒体に記憶されている全ての音楽データの音楽ＩＤであっても良いし、任意に抽出した一部の音楽データの音楽ＩＤであっても良い。
【００２３】
図３に示す再生順リスト情報には、端末ＩＤおよび音楽ＩＤという項目情報の他に、スキップフラグという項目情報も含まれている。スキップフラグは、音楽データを携帯電話機１から受信して再生するか否かを示す情報である。このフラグがオンになっているレコードについては、端末ＩＤおよび音楽ＩＤで特定される音楽データを携帯電話機１から受信して再生する処理が行われない。デフォルトでは、スキップフラグはオフになっている。どのような場合にスキップフラグがオンに設定されるのかについては後述する。
【００２４】
音楽再生部１４は、無線通信部１１により携帯電話機１から受信した音楽データを再生する。本実施形態では、音楽再生部１４は、リスト記憶部１３に記憶されている再生順に従って、複数の携帯電話機１Ａ〜１Ｃから順に無線通信部１１により受信した音楽データを順に再生（シャッフル再生）する。具体的には、音楽再生部１４は、リスト記憶部１３に記憶されている再生順に従って各レコードの情報を読み、端末ＩＤで示される携帯電話機１に対して、音楽ＩＤで示される音楽データの送信要求を無線通信部１１を介して送信する。そして、音楽再生部１４は、この送信要求に対する応答として携帯電話機１から返信され無線通信部１１にて受信した音楽データを再生する。
【００２５】
このようなシャッフル再生を行う際に、音楽再生部１４は、再生順リスト情報のスキップフラグがオンになっているレコードがあれば、そのレコードに記憶されている音楽ＩＤで示される音楽データの送信要求は無線通信部１１から携帯電話機１に送信せず、次のレコードの処理にスキップする。音声出力部１５は、音楽再生部１４により再生された音楽を出力するものであり、スピーカ（図示せず）を備えている。
【００２６】
着信検出部１６は、無線通信部１１により携帯電話機１から受信した着信通知データに基づいて、携帯電話機１における着信を検出する。ここで、携帯電話機１から送られてくる着信通知データには端末ＩＤが含まれている。したがって、着信検出部１６は、複数の携帯電話機１Ａ〜１Ｃのうちどれで着信があったのかを検出することが可能である。
【００２７】
ハンズフリー通話部１７は、着信検出部１６により着信が検出された携帯電話機１（本発明の一の携帯端末に相当。以下、これを着信携帯電話機と称する）との間で無線通信部１１により送受信される音声データを用いてハンズフリー通話の制御を行う。具体的には、ハンズフリー通話部１７は、マイクを備えた音声入力部１８から入力された送話音声を変調して無線通信部１１に供給し、着信携帯電話機１を通じて通話の相手先に送話音声データを送信するよう制御する。また、ハンズフリー通話部１７は、通話の相手先から着信携帯電話機１を通じて無線通信部１１にて受信した受話音声データを復調して音声出力部１５に出力するよう制御する。
【００２８】
制御部１９は、無線通信部１１を介してブルートゥース接続されている携帯電話機１が複数ある場合に、着信検出部１６により一の携帯電話機１における着信が検出されたとき、その着信携帯電話機１を音楽データの取得対象先から外し、他の携帯電話機１から音楽データを受信するように制御する。具体的には、制御部１９は、リスト記憶部１３に記憶された再生順リスト情報により示されている再生順を、着信携帯電話機１をスキップした再生順となるように変更する。
【００２９】
すなわち、制御部１９は、着信検出部１６により一の携帯電話機１における着信が検出されたとき、着信携帯電話機１を表す端末ＩＤが記憶されているレコードのスキップフラグをオフからオンに切り替える。また、制御部１９は、着信携帯電話機１を通じてハンズフリー通話部１７により行われたハンズフリー通話の終了がハンズフリー通話部１７より通知されたときに、着信携帯電話機１を表す端末ＩＤが記憶されているレコードのスキップフラグをオンからオフに戻す。
【００３０】
次に、上記のように構成した本実施形態による音楽再生制御装置の動作を説明する。図４は、音楽再生制御装置の動作例を示す図である。図４に示すように、３台の携帯電話機１Ａ〜１Ｃが車載機２とブルートゥース接続され、各携帯電話機１Ａ〜１Ｃに記憶されている音楽データのシャッフル再生が車載機２の音楽再生部１４にて行われているものとする。図４の例は、図３に示す再生順リスト情報の１番目の再生順に従って、車載機２が第１の携帯電話機１Ａから音楽データを受信して再生している際に、第３の携帯電話機１Ｃに対して着信があった状態を示している。
【００３１】
この状態の場合、制御部１９は、着信検出部１６により着信が検出された第３の携帯電話機１Ｃを表す端末ＩＤが記憶されているレコード（図３の例では、再生順が２番目と４番目のレコード）のスキップフラグをオフからオンに切り替える。これにより、第３の携帯電話機１Ｃに対して着信があった時点で、当該第３の携帯電話機１Ｃは音楽データの取得対象先（シャッフル再生の対象）から外される。
【００３２】
このケースでは、音楽データを受信している携帯電話機と着信があった携帯電話機とが異なっている。そのため、第３の携帯電話機１Ｃを通じて行われるハンズフリー通話によって、第１の携帯電話機１Ａから受信される音楽データに基づく音楽再生が中断されてしまうことはない。このケースで注目すべきは、再生順が２番目に移るときである。２番目の再生順では、第３の携帯電話機１Ｃから音楽データを受信して再生することになっている。しかし、１番目の音楽再生が終わったときに、第３の携帯電話機１Ｃを通じて行われるハンズフリー通話がまだ終了していなければ、２番目のレコードはスキップフラグがオンになっているので処理がスキップされ、３番目のレコードの処理が行われる。これにより、第３の携帯電話機１Ｃを通じて行われるハンズフリー通話によって音楽再生が中断されてしまう事態を回避することができる。なお、１番目の音楽再生が終わったときにハンズフリー通話が終了していれば、スキップフラグはオフに戻されているので、２番目のレコードの処理が通常通り行われる。
【００３３】
図５は、音楽再生制御装置の他の動作例を示す図である。図５に示す例においても、３台の携帯電話機１Ａ〜１Ｃが車載機２とブルートゥース接続され、各携帯電話機１Ａ〜１Ｃに記憶されている音楽データのシャッフル再生が車載機２の音楽再生部１４にて行われているものとする。図５の例は、図３に示す再生順リスト情報の１番目の再生順に従って、車載機２が第１の携帯電話機１Ａから音楽データを受信して再生している際に、第１の携帯電話機１Ａに対して着信があった状態を示している。
【００３４】
この状態の場合、制御部１９は、着信検出部１６により着信が検出された第１の携帯電話機１Ａを表す端末ＩＤが記憶されているレコード（図３の例では、再生順が１番目のレコード）のスキップフラグをオフからオンに切り替える。これにより、第１の携帯電話機１Ａに対して着信があった時点で、当該第１の携帯電話機１Ａは音楽データの取得対象先（シャッフル再生の対象）から外される。
【００３５】
このケースでは、音楽データを受信している携帯電話機と着信があった携帯電話機とが同じである。この場合に音楽再生部１４は、制御部１９によりスキップフラグがオンにされた第１の携帯電話機１Ａからの音楽データの受信を直ちに中止し、再生順が２番目の音楽データを第３の携帯電話機１Ｃから受信するように切り替える。これにより、第１の携帯電話機１Ａを通じて行われるハンズフリー通話によって音楽再生が中断されてしまう事態を回避することができる。
【００３６】
図６は、本実施形態による音楽再生制御装置の詳細な動作例を示すフローチャートである。図６において、音楽再生部１４は、リスト記憶部１３に記憶されている再生順に従って１レコードの情報を読み、そのレコードにおける端末ＩＤで示される携帯電話機１に対して、そのレコードにおける音楽ＩＤで示される音楽データの送信要求を無線通信部１１を介して送信する（ステップＳ１）。無線通信部１１は、この送信要求に対する応答として携帯電話機１から返信された音楽データを受信する（ステップＳ２）。そして音楽再生部１４は、無線通信部１１にて受信した音楽データを再生する（ステップＳ３）。
【００３７】
音楽再生部１４は、ステップＳ１で読み込んだレコードに関する音楽データの再生が終了したか否か判定する（ステップＳ４）。ここで、音楽データの再生が終了したと判断した場合、音楽再生部１４は、リスト記憶部１３の再生順リスト情報に登録されている音楽データが全て再生し終わったか否か判定する（ステップＳ５）。再生順リスト情報に登録されている全ての音楽データを再生し終わったと判断した場合は、本フローチャートの処理を終了する。一方、未再生の音楽データが残っていると判断した場合はステップＳ１に戻り、音楽再生部１４は次のレコードの情報に従って音楽データの送信要求を行う。
【００３８】
一方、ステップＳ４において、ステップＳ１で読み込んだレコードに関する音楽データの再生がまだ終了していないと音楽再生部１４にて判断した場合、着信検出部１６は、ブルートゥース接続されている携帯電話機１Ａ〜１Ｃの何れかにおいて着信があったか否か判定する（ステップＳ６）。ここで、着信がない場合はステップＳ２に戻り、ステップＳ１で読み込んだレコードに関する音楽データの受信（ステップＳ２）および再生（ステップＳ３）を継続して行う。
【００３９】
何れかの携帯電話機１に対する着信が着信検出部１６にて検出された場合、ハンズフリー通話部１７は、着信携帯電話機１を通じてハンズフリー通話を開始する（ステップＳ７）。また、制御部１９は、リスト記憶部１３に記憶されている再生順リスト情報において、着信携帯電話機１の端末ＩＤが格納されているレコードのスキップフラグをオフからオンに変更する（ステップＳ８）。このとき制御部１９は、音楽データを受信中の携帯電話機１と着信携帯電話機１とが同じであるか否か、つまり端末ＩＤが同じであるか否か判定する（ステップＳ９）。
【００４０】
ここで、音楽データを受信中の携帯電話機１と着信携帯電話機１とが同じであると判断した場合、制御部１９は音楽再生部１４に指示を出し、現在音楽データを受信中の携帯電話機１から音楽データを受信して再生する処理を中止する（ステップＳ１０）。現在の音楽データの受信を中止した後、音楽再生部１４は、リスト記憶部１３に記憶されている再生順に従い、処理を中止したレコード以降でスキップフラグがオフになっている次のレコードの情報を読み、そのレコードにおける端末ＩＤで示される携帯電話機１に対して、そのレコードにおける音楽ＩＤで示される音楽データの送信要求を無線通信部１１を介して送信する（ステップＳ１１）。無線通信部１１は、この送信要求に対する応答として携帯電話機１から返信された音楽データを受信する（ステップＳ１２）。そして音楽再生部１４は、無線通信部１１にて受信した音楽データを再生する（ステップＳ１３）。
【００４１】
一方、ステップＳ９において、音楽データを受信中の携帯電話機１と着信携帯電話機１とが同じでないと判断した場合、処理はステップＳ１２に移る。すなわち、この場合は、現在音楽データを受信中の携帯電話機１から音楽データを受信して再生する処理を続行する。このような音楽データの再生が音楽再生部１４にて行われている際に、制御部１９は、ハンズフリー通話部１７によりステップＳ７で開始されたハンズフリー通話が終了したか否か、つまり、制御部１９がハンズフリー通話部１７から通話終了の通知を受けたか否か判定する（ステップＳ１４）。
【００４２】
ハンズフリー通話が終了したと判断した場合、制御部１９は、リスト記憶部１３に記憶されている再生順リスト情報において、着信携帯電話機１を表す端末ＩＤが記憶されているレコードのスキップフラグをオンからオフに戻す（ステップＳ１５）。その後処理はステップＳ４に戻る。一方、ハンズフリー通話がまだ終了していないと制御部１９にて判断した場合、音楽再生部１４は、ステップＳ１またはステップＳ１１で読み込んだレコードに関する音楽データの再生が終了したか否か判定する（ステップＳ１６）。
【００４３】
ここで、音楽データの再生がまだ終了していないと音楽再生部１４にて判断した場合、処理はステップＳ１２に戻り、当該音楽データの受信（ステップＳ１２）および再生（ステップＳ１３）を継続して行う。一方、音楽データの再生が終了したと判断した場合、音楽再生部１４は、リスト記憶部１３の再生順リスト情報に登録されている音楽データが全て再生し終わったか否か判定する（ステップＳ１７）。そして、未再生の音楽データが残っていると判断した場合はステップＳ１１に戻り、音楽再生部１４は次のレコード（スキップフラグがオンになっている場合は更にその次のレコード）の情報に従って音楽データの送信要求を行う。一方、再生順リスト情報に登録されている全ての音楽データを再生し終わったと音楽再生部１４にて判断した場合は、本フローチャートの処理を終了する。
【００４４】
以上詳しく説明したように、本実施形態では、無線通信部１１を介して複数の携帯電話機１Ａ〜１Ｃが車載機２とブルートゥース接続された状態において、一の携帯電話機１において着信が行われた場合、着信携帯電話機１を音楽データの取得対象先から外してハンズフリー通話の制御対象とする一方、他の携帯電話機１から音楽データを受信して音楽再生部１４による音楽再生を行うようにしている。
【００４５】
このように構成した本実施形態によれば、着信携帯電話機１を通じてハンズフリー通話が行われる状態になったとしても、他の携帯電話機１から音楽データを受信して再生することができる。これにより、携帯電話機１から音楽データを受信して再生している際に何れかの携帯電話機１において着信があった場合でも、ハンズフリー通話によって音楽再生が妨げられないようにすることができる。
【００４６】
また、本実施形態では、音楽データを受信している携帯電話機１と着信携帯電話機１とが同じであった場合、着信携帯電話機１からの音楽データの受信を直ちに中止し、他の携帯電話機１から音楽データを受信して再生するように切り替えている。これは、いわゆるマルチプロファイル動作が可能なブルートゥースモジュールを無線通信部１１が搭載している場合でも同様である。マルチプロファイル動作とは、複数のプロファイルを同時に動作させるというものであり、最新のブルートゥース規格ではこれが実行可能である。
【００４７】
マルチプロファイル動作に対応したブルートゥースモジュールを搭載していれば、音楽データを受信している携帯電話機１と着信携帯電話機１とが同じであっても、当該着信携帯電話機１を通じてハンズフリー通話を行いながら、当該着信携帯電話機１から音楽データの受信を続けることもできる。しかし、そうすると、着信携帯電話機１に多くの負荷がかかり、消費電力も大きくなるので、電池の消費が激しくなる。これに対して、本実施形態のように他の携帯電話機１に切り替えて音楽データを受信することにより、着信携帯電話機１の電力消費量がマルチプロファイル動作によって増大するのを抑えつつ、ハンズフリー通話によって音楽再生が妨げられないようにすることができる。
【００４８】
なお、他の携帯電話機１に切り替えて音楽データを受信すると、再生される音楽が着信の前後で全く違うものになってしまう。着信携帯電話機１の電池消費を抑制することよりも、着信があっても同じ音楽を再生し続けることを優先するのであれば、マルチプロファイル動作を利用して、着信携帯電話機１を通じてハンズフリー通話を行いながら、着信携帯電話機１から音楽データの受信を続けるようにしてもよい。
【００４９】
上記実施形態では、音楽データを受信している携帯電話機１と着信携帯電話機１とが同じであった場合において、他の携帯電話機１に切り替えて音楽データを受信するとき、リスト記憶部１３に記憶されている再生順リスト情報の再生順に従って他の携帯電話機１を特定するようにしているが、本発明はこれに限定されない。例えば、再生順リスト情報の全体を参照して、着信携帯電話機１が受信中であった音楽データと同じ音楽データが他の携帯電話機１に記憶されているかどうかを判定し、同じ音楽データが記憶されている他の携帯電話機１があれば、当該他の携帯電話機１から同じ音楽データを受信するようにしても良い。
【００５０】
つまり、再生順リスト情報の再生順に従って次のレコードの処理を行うのではなく、同じ音楽データが格納されているレコードまでスキップして処理を行うようにしても良い。あるいは、再生順リスト情報の再生順に従って次のレコードの処理を行う前に、同じ音楽データが格納されているレコードだけを変則的に挿入して処理するようにしても良い。このようにすれば、音楽データを受信中の携帯電話機１において着信があって他の携帯電話機１に切り替えて音楽データを受信する場合であっても、同じ音楽データを受信して再生することができる。
【００５１】
ところで、リスト登録部１２がリスト記憶部１３に再生順リスト情報を登録する際に、同じ音楽データは重複して登録しないようにする場合も考えられる。この場合は、再生順リスト情報の全体を参照しても、着信携帯電話機１が受信中であった音楽データと同じ音楽データが格納されたレコードはみつからない。そこで、各携帯電話機１が車載機２にブルートゥース接続されたときに、各携帯電話機１が記憶している全ての音楽データについて、端末ＩＤと音楽ＩＤとを関連付けたリスト情報を生成して再生順リスト情報とは別に記憶しておく。そして、音楽データを受信中の携帯電話機１に着信があったときに、全音楽データのリスト情報を参照して同じ音楽データがあるかどうかを判定するようにしても良い。
【００５２】
また、上記実施形態では、あらかじめリスト記憶部１３に登録しておいた再生順リスト情報に従ってシャッフル再生を行う例について説明したが、本発明はこれに限定されない。例えば、再生順リスト情報は生成せず、音楽データの再生が１つ終わるたびに、音楽再生部１４が、次に音楽データを受信すべき携帯電話機１を任意に決定して音楽データの送信要求を送るようにしても良い。この場合、送信要求を受け取った携帯電話機１において、送信すべき音楽データを任意に決定する。
【００５３】
また、上記実施形態では、シャッフル再生を行っているときに何れかの携帯電話機１に着信があった場合を想定しているが、本発明はこれに限定されない。例えば、ブルートゥース接続されている複数の携帯電話機１のうち、１台の携帯電話機１だけを使って音楽再生をしている場合にも適用可能である。このケースでは、音楽データを受信している携帯電話機１に対して着信があったとき、制御部１９は、着信携帯電話機１からの音楽データの受信を直ちに中止する。そして、ブルートゥース接続されている他の携帯電話機１から音楽データを受信して音楽再生部１４にて再生するように切り替える。
【００５４】
また、上記実施形態では、携帯端末の一例として携帯電話機１を挙げて説明したが、本発明はこれに限定されない。通話機能、ブルートゥース通信機能および音楽再生機能を備えた携帯端末であれば、ＰＤＡ（Personal Data Assistance）やノート型パソコンなどであっても良い。
【００５５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５６】
１  携帯電話機
２  車載機
１１  無線通信部
１４  音楽再生部
１６  着信検出部
１９  制御部
【図１】
2011009809.tif 000003
【図２】
2011009809.tif 000004
【図３】
2011009809.tif 000005
【図４】
2011009809.tif 000006
【図５】
2011009809.tif 000007
【図６】
2011009809.tif 000008